(57)【要約】【課題】  複数の機能項目と、各機能項目に従属する複数の設定項目からなり、夫々１つを選択可能な機能選択モードにおいて、機能項目等の選択ミスがなく、迅速且つ、簡便に機能項目等の選択、決定を行うことが可能な電子機器を提供する。【解決手段】  ファンクションキー１５の押下により移行する複数の機能項目と、各機能項目に従属する複数の設定項目からなり、夫々１つを選択可能な機能選択モードにおいて、ユーザ所望の機能項目と関連付けられた数字キー１１ａを押下することにより、機能項目の決定待機状態にし、決定待機状態にある機能項目とは、別の機能項目に関連付けられた数字キーを押下した場合には、別の機能項目に切り換え、決定待機状態にある機能項目に関連付けられた数字キーを再度押下した場合には、決定待機状態にある機能項目を実行する電子機器。【選択図】  図９
2005212333.tif 000002
【特許請求の範囲】
【請求項１】
複数の機能項目を選択可能とする機能選択モードに移行するファンクションキーと、数字を入力する数字キーとを有する操作部と、
前記ファンクションキーを押下して移行した機能選択モードにおいて、前記数字キーのうち１つの数字キーを押下することにより、前記１つの数字キーと関連付けられた機能項目を選択する機能項目選択手段と、
前記機能選択モード時に、前記１つの数字キーの押下によりその数字キーと関連付けられた機能項目が選択されている状態で、前記１つの数字キーとは別の数字キーを押下することにより、選択された機能項目を前記別の数字キーと関連付けられた機能項目に切り換える機能項目切換手段を有することを特徴とする電子機器。
【請求項２】
前記請求項１記載の電子機器において、
前記機能項目選択手段により選択されている機能項目と対応付けられている数字キーが再度押下されたとき、選択されている機能項目を決定する機能項目決定手段を有することを特徴とする電子機器。
【請求項３】
前記請求項１または請求項２記載の電子機器において、
前記機能選択モード時に、選択されている機能項目を表示する表示手段と、前記機能選択モード時に、現在前記表示手段に表示されている機能項目と、ユーザの指定する数字キーとを関連付けて記憶する記憶手段を有することを特徴とする電子機器。
【請求項４】
前記請求項３記載の電子機器において、
前記記憶手段は、数字キーの所定時間押下され続けていることにより、記憶することを特徴とする電子機器。
【請求項５】
複数の機能項目を選択可能とする機能選択モードに移行するファンクションキーと、数字を入力する数字キーを有する操作部と、
前記ファンクションキーを押下して移行した機能選択モードにおいて、前記数字キーのうち１つの数字キーを押下することにより、前記１つの数字キーと関連付けられた機能項目を選択する機能項目選択手段と、
前記機能選択モード時に、選択された機能項目を表示するための表示手段と、
前記機能選択モード時に、数字キーを所定の時間押し続けることにより、前記表示手段に表示されている機能項目と、押下されている数字キーとを関連付けて記憶する記憶手段とを有することを特徴とする電子機器。
【請求項６】
前記請求項１乃至請求項５記載の電子機器において、
機能項目が前記記憶手段に数字キーと関連付けて記憶されているか否か判断する判断手段を備え、
該判断手段が、前記機能選択モード時に現在前記表示手段に表示されている機能項目が前記記憶手段に数字キーに関連付けられて記憶されていないと判断すると、前記記憶手段は、表示手段に表示されている機能項目と押下されている数字キーと関連付けて記憶することを特徴とする電子機器。
【請求項７】
前記請求項１乃至請求項６記載の電子機器において、
前記操作部は、機能項目を選択不可とする削除キーを有し、
前記機能選択モード時に、前記削除キーの押下により、現在選択されている機能項目を選択不可とする機能選択制限手段を有することを特徴とする電子機器。
【請求項８】
前記請求項１乃至請求項７記載の電子機器において、
前記操作部は、機能選択制限手段により選択不可となっている機能項目を選択可能に変更するための復帰キーを有し、
前記機能選択モード時に、前記復帰キーの押下により、選択不可となっている機能項目を選択可能とする機能復帰手段を有することを特徴とする電子機器。
【請求項９】
複数の機能項目を選択可能とする機能選択モードに移行するファンクションキーと、該ファンクションキーを押下して移行した機能選択モードにおいて、機能項目を選択する機能項目選択手段と、
機能項目を選択不可とする削除手段と、
前記機能選択モード時に、前記削除手段の操作により、現在選択されている機能項目を選択不可とする機能選択制限手段とを有することを特徴とする電子機器。
【請求項１０】
前記請求項９記載の電子機器において、
前記機能選択制限手段により、選択不可となっている機能項目を選択可能に変更するための復帰手段と、
前記機能選択モードにおいて、前記復帰手段の操作により、選択不可となっている機能項目を選択可能とする機能復帰手段を有することを特徴とする電子機器。
【請求項１１】
前記請求項１乃至請求項１０記載の電子機器において、
前記機能項目の数が単一であるか否かについて判断する機能項目数判断手段と、
前記機能項目数判断手段が、機能項目数が単一であると判断した場合には、単一である機能項目を選択、決定する第２機能項目決定手段を有することを特徴とする電子機器。
【請求項１２】
前記請求項１乃至請求項１１記載の電子機器において、
前記機能項目と、前記数字キーとの関連付けを複数パターン記憶するパターン記憶手段と、
前記機能項目と、前記数字キーとの関連付けを複数パターンから所望のパターンに切り換えるパターン切換手段を有することを特徴とする電子機器。
【請求項１３】
前記請求項１２記載の電子機器において、
前記パターン記憶手段に記憶されている機能項目と数字キーとの関連付けのパターンを変更するパターン変更手段を有することを特徴とする電子機器。
【請求項１４】
前記請求項１乃至請求項１３記載の電子機器において、
複数の機能項目の内一つを選択し、選択されている機能項目に従属する複数の設定項目を選択可能とする設定選択モードにおいて、
前記操作部は、設定項目を選択不可とする削除キーを有し、
前記設定選択モード時に、前記削除キーの押下により、現在選択されている設定項目を選択不可とする設定選択制限手段を有することを特徴とする電子機器。
【請求項１５】
前記請求項１乃至請求項１４記載の電子機器において、
前記操作部は、設定選択制限手段により選択不可となっている設定項目を選択可能に変更するための復帰キーを有し、
前記設定選択モード時に、前記復帰キーの押下により、選択不可となっている設定項目を選択可能とする設定復帰手段を有することを特徴とする電子機器。
【請求項１６】
前記請求項１乃至請求項１３記載の電子機器において、
複数の機能項目の内一つを選択し、選択されている機能項目に従属する複数の設定項目を選択可能とする設定選択モードにおいて、
設定項目を選択する設定項目選択手段と、
設定項目を選択不可とする設定削除手段と、
前記設定選択モード時に、前記削除手段の操作により、現在選択されている設定項目を選択不可とする設定選択制限手段とを有することを特徴とする電子機器。
【請求項１７】
前記請求項１６記載の電子機器において、
前記設定選択制限手段により、選択不可となっている設定項目を選択可能に変更するための復帰手段と、
前記設定選択モードにおいて、前記復帰手段の操作により、選択不可となっている設定項目を選択可能とする設定復帰手段を有することを特徴とする電子機器。
【請求項１８】
前記請求項１乃至請求項１７記載の電子機器において、
現在選択されている機能項目に従属する前記設定項目の数が単一であるか否かについて判断する設定項目数判断手段と、
前記設定項目数判断手段が、設定項目数が単一であると判断した場合には、単一である設定項目を選択、実行する設定項目実行手段を有することを特徴とする電子機器。
【発明の詳細な説明】
【技術分野】
【０００１】
本発明は、表示や印字に関する複数の機能項目と、各機能項目に従属する設定項目とを選択設定可能な機能を有するテープ印字装置に関して、特に、機能選択時において、複数のキーを組み合わせて押下することにより、機能項目及び設定項目を選択することが可能なテープ印字装置に関するものである。
【背景技術】
【０００２】
従来、テープに文書を印字するテープ印字装置においては、文字の大きさ、書体等の豊富な書式に関する機能を設定することができる。そして、非常に多くの機能項目が設定可能となることで、ユーザは、多様な書式態様から所望の印字テープを手にすることが可能となっている。選択可能な機能項目が増加したことにより、ユーザによっては、全く使用しない機能項目が存在するようになった。
【０００３】
このような書式等の機能項目の選択方法として、機能選択が可能な機能選択モードにおいて、カーソルキーを押下し、機能項目を順次表示させる。そして、ユーザの所望する機能項目が表示された段階で、エンターキーを押下して、機能項目を選択する方式が一般的によく用いられている。
【０００４】
また、機能項目選択方法として、１つの機能項目と１つのキーを関連付け、機能選択モードにおいて、所望の機能項目と関連付けられたキーを入力することにより、その機能項目を選択する選択方式（ショートカット方式）も用いられている。
【０００５】
ここで、表示や印字に関する設定項目のうち、所望のものを常用設定項目として設定、保存可能であると共に、常用設定項目のみを選択可能にする第１モードと、設定項目の全項目を選択可能な第２モードを切り換えることが可能な文書作成装置に関する技術が、特許文献１に記載されている。
特許文献１記載の文書作成装置には、設定項目に設定された設定データを記憶する設定情報記憶手段と、ユーザ所望の設定項目を常用設定項目として選択する項目選択手段と、常用設定項目のみ選択可能な第１モードと、全設定項目が選択可能な第２モードを切り換えるモード設定手段と、モード設定手段による第１モード、第２モードを判断し、一方の設定情報を読み出す読出手段を有する文書作成装置が記載されている。
【０００６】
【特許文献１】特開平６−１１０８９１号公報（図１０、図１２参照）
【発明の開示】
【発明が解決しようとする課題】
【０００７】
特許文献１記載の文書作成装置では、ユーザが頻繁に使用する設定項目を常用設定項目として登録可能である。そして、常用設定項目だけを表示する第１モードにおいては、常用設定項目のみを表示し、それ以外の設定項目は非表示にすることができる。さらに、モード設定手段により、設定項目の全項目を表示する第２モードと切り換えることが可能であるため、常用しない設定項目も、選択可能である。
しかし、特許文献１記載の文書作成装置では、常用設定項目のみを表示し、選択可能とする第１モードであったとしても、カーソルキーによる選択方式であるため、ユーザ所望の機能項目を選択するまで、複数回カーソルキーを操作しなければならない場合が多く発生してしまう。この場合、常用設定項目が多いほど、所望の機能項目を選択するまで煩雑な操作をしなければならなかった。
【０００８】
また、従来用いられているショートカット方式の選択方法においては、機能選択に要するキータッチ数が減少し、操作が容易になっているので、カーソルキーによる選択方式と比較して、機能項目選択時に要する操作及び時間を大幅に省略することができる。
しかし、機能選択モードにおいて、機能項目と関連付けられたキーを入力すると、機能項目の選択と決定を同時に行ってしまうため、ユーザがショートカットによる選択を行う際に、別の機能項目と関連付けられているキーを間違って入力した場合や、機能項目の選択時に迷いが生じ、キー入力後に翻意した場合には、ユーザが所望していない機能項目に従属する設定項目選択状態になってしまう。
この場合には、再度、機能項目選択可能な状態に戻し、もう一度、所望の機能項目の選択を行わなければならない。つまり、従来のショートカットにより機能選択でキー入力を誤った場合には、結果的にカーソルキーによる選択方式と同程度のキー操作を行わなければならず、煩雑な操作を行わなければならない。
また、機能項目とキーとの関連付けは、ユーザが任意に変更することができない。ユーザによっては、常用する機能項目と関連付けられたキーが入力しにくい位置に配設されている場合もあり、常用する機能項目がショートカット方式では選択しにくい状態が発生していた。
【０００９】
本発明は、上述した課題を鑑みてなされたものであり、本発明は、表示や印字に関する複数の機能項目と、各機能項目に従属する設定項目とを選択設定可能な機能を有するテープ印字装置に関して、特に、機能選択時において、複数のキーを組み合わせて押下することにより、機能項目及び設定項目を選択することが可能なテープ印字装置に関するものである。
【課題を解決するための手段】
【００１０】
前記目的を達成するため請求項１に係る電子機器は、複数からなる機能項目を選択可能とする機能選択モードに移行するファンクションキーと、数字を入力する数字キーとを有する操作部と、前記ファンクションキーを押下して移行した機能選択モードにおいて、前記数字キーのうち１つの数字キーを押下することにより、前記１つの数字キーと関連付けられた機能項目を選択する機能項目選択手段と、前記機能選択モード時に、前記１つの数字キーの押下によりその数字キーと関連付けられた機能項目が選択されている状態で、前記１つの数字キーとは別の数字キーを押下することにより、選択された機能項目を前記別の数字キーと関連付けられた機能項目に切り換える機能項目切換手段を有することを特徴とする。
【００１１】
また、請求項２に係る電子機器は、前記請求項１記載の電子機器において、前記機能項目選択手段により選択されている機能項目と対応付けられている数字キーが再度押下されたとき、選択されている機能項目を決定する機能項目決定手段を有することを特徴とする。
【００１２】
更に、請求項３に係る電子機器は、前記請求項１または請求項２記載の電子機器において、前記機能選択モード時に、選択されている機能項目を表示する表示手段と、前記機能選択モード時に、現在前記表示手段に表示されている機能項目と、ユーザの指定する数字キーとを関連付けて記憶する記憶手段を有することを特徴とする。
【００１３】
また、請求項４に係る電子機器は、前記請求項３記載の電子機器において、前記記憶手段は、数字キーの所定時間押下され続けていることにより、記憶することを特徴とする。
【００１４】
更に、請求項５に係る電子機器は、複数の機能項目を選択可能とする機能選択モードに移行するファンクションキーと、数字を入力する数字キーを有する操作部と、前記ファンクションキーを押下して移行した機能選択モードにおいて、前記数字キーのうち１つの数字キーを押下することにより前記１つの数字キーと関連付けられた機能項目を選択する機能項目選択手段と、前記機能選択モード時に、選択された機能項目を表示するための表示手段と、前記機能選択モード時に、数字キーを所定の時間押し続けることにより、前記表示手段に表示されている機能項目と、押下されている数字キーとを関連付けて記憶する記憶手段とを有することを特徴とする。
【００１５】
また、請求項６に係る電子機器は、前記請求項１乃至請求項５記載の電子機器において、機能項目が前記記憶手段に数字キーと関連付けて記憶されているか否か判断する判断手段を備え、該判断手段が、前記機能選択モード時に現在前記表示手段に表示されている機能項目が前記記憶手段に数字キーに関連付けられて記憶されていないと判断すると、前記記憶手段は、表示手段に表示されている機能項目と押下されている数字キーと関連付けて記憶することを特徴とする。
【００１６】
更に、請求項７に係る電子機器は、前記請求項１乃至請求項６記載の電子機器において、前記操作部は、機能項目を選択不可とする削除キーを有し、前記機能選択モード時に、前記削除キーの押下により、現在選択されている機能項目を選択不可とする機能選択制限手段を有することを特徴とする。
【００１７】
また、請求項８に係る電子機器は、前記請求項１乃至請求項７記載の電子機器において、前記操作部は、機能選択制限手段により選択不可となっている機能項目を選択可能に変更するための復帰キーを有し、前記機能選択モード時に、前記復帰キーの押下により、選択不可となっている機能項目を選択可能とする機能復帰手段を有することを特徴とする。
【００１８】
そして、請求項９に係る電子機器は、複数の機能項目を選択可能とする機能選択モードに移行するファンクションキーと、該ファンクションキーを押下して移行した機能選択モードにおいて、機能項目を選択する機能項目選択手段と、機能項目を選択不可とする削除手段と、前記機能選択モード時に、前記削除手段の操作により、現在選択されている機能項目を選択不可とする機能選択制限手段とを有することを特徴とする。
【００１９】
更に、請求項１０に係る電子機器は、前記請求項９記載の電子機器において、前記機能選択制限手段により、選択不可となっている機能項目を選択可能に変更するための復帰手段と、前記機能選択モードにおいて、前記復帰手段の操作により、選択不可となっている機能項目を選択可能とする機能復帰手段を有することを特徴とする。
【００２０】
また、請求項１１に係る電子機器は、前記請求項１乃至請求項１０記載の電子機器において、前記機能項目の数が単一であるか否かについて判断する機能項目数判断手段と、前記機能項目数判断手段が、機能項目数が単一であると判断した場合には、単一である機能項目を選択、決定する第２機能項目決定手段を有することを特徴とする。
【００２１】
更に、請求項１２に係る電子機器は、前記請求項１乃至請求項１１記載の電子機器において、前記機能項目と、前記数字キーとの関連付けを複数パターン記憶するパターン記憶手段と、前記機能項目と、前記数字キーとの関連付けを複数パターンから所望のパターンに切り換えるパターン切換手段を有することを特徴とする。
【００２２】
また、請求項１３に係る電子機器は、前記請求項１２記載の電子機器において、前記パターン記憶手段に記憶されている機能項目と数字キーとの関連付けのパターンを変更するパターン変更手段を有することを特徴とする。
【００２３】
更に、請求項１４に係る電子機器は、前記請求項１乃至請求項１３記載の電子機器において、複数の機能項目の内一つを選択し、選択されている機能項目に従属する複数の設定項目を選択可能とする設定選択モードにおいて、前記操作部は、設定項目を選択不可とする削除キーを有し、前記設定選択モード時に、前記削除キーの押下により、現在選択されている設定項目を選択不可とする設定選択制限手段を有することを特徴とする。
【００２４】
また、請求項１５に係る電子機器は、前記請求項１乃至請求項１４記載の電子機器において、前記操作部は、設定選択制限手段により選択不可となっている設定項目を選択可能に変更するための復帰キーを有し、前記設定選択モード時に、前記復帰キーの押下により、選択不可となっている設定項目を選択可能とする設定復帰手段を有することを特徴とする。
【００２５】
更に、請求項１６に係る電子機器は、前記請求項１乃至請求項１３記載の電子機器において、複数の機能項目の内一つを選択し、選択されている機能項目に従属する複数の設定項目を選択可能とする設定選択モードにおいて、設定項目を選択する設定項目選択手段と、
設定項目を選択不可とする設定削除手段と、前記設定選択モード時に、前記削除手段の操作により、現在選択されている設定項目を選択不可とする設定選択制限手段とを有することを特徴とする。
【００２６】
また、請求項１７に係る電子機器は、前記請求項１６記載の電子機器において、前記設定選択制限手段により、選択不可となっている設定項目を選択可能に変更するための復帰手段と、前記設定選択モードにおいて、前記復帰手段の操作により、選択不可となっている設定項目を選択可能とする設定復帰手段を有することを特徴とする。
【００２７】
更に、請求項１８に係る電子機器は、前記請求項１乃至請求項１７記載の電子機器において、現在選択されている機能項目に従属する前記設定項目の数をカウントする設定項目数判断手段と、前記設定項目数判断手段が、設定項目数が単一であると判断した場合には、単一である設定項目を選択、実行する設定項目実行手段を有することを特徴とする。
【発明の効果】
【００２８】
請求項１記載の電子機器は、複数からなる機能項目を選択可能とする機能選択モードに移行するファンクションキーと、数字を入力する数字キーとを有する操作部と、前記ファンクションキーを押下して移行した機能選択モードにおいて、前記数字キーのうち１つの数字キーを押下することにより、前記１つの数字キーと関連付けられた機能項目を選択する機能項目選択手段とを有するので、少ないキータッチで、ユーザ所望の機能項目を迅速に選択し、決定待機状態にすることができる。
また、前記機能選択モード時に、前記１つの数字キーの押下によりその数字キーと関連付けられた機能項目が選択されている状態で、前記１つの数字キーとは別の数字キーを押下することにより、選択された機能項目を前記別の数字キーと関連付けられた機能項目に切り換える機能項目切換手段を有するので、決定待機状態にある機能項目を、別の数字キーに関連付けられている機能項目に切り換え、決定待機状態にすることができる。
この結果、ショートカット方式の機能項目選択方法であっても、決定待機状態が存在するので、所望の機能項目が選択されているかを確認することができる。また、決定待機状態にある機能項目が、所望した機能項目と異なっていた場合に、所望の機能項目と関連付けられた数字キーを押下する簡単な操作で、所望の機能項目に切り換え、選択待機状態にすることが可能となる。
【００２９】
請求項２記載の電子機器は、前記機能項目選択手段により選択されている機能項目と対応付けられている数字キーが再度押下されたとき、選択されている機能項目を決定する機能項目決定手段を有する。これにより、ユーザは、決定待機状態にある機能項目を確認した後、決定するか否かの判断を下すことができる。更に、機能項目を決定待機状態にする際に用いた数字キーを再度押下すれば選択決定されるので、機能項目選択時に、別の選択決定キーを捜す等の時間と手間を省くことができる。
【００３０】
請求項３に係る電子機器は、前記機能選択モード時に、選択されている機能項目を表示する表示手段と、前記機能選択モード時に、ユーザが数字キーを指定することにより、現在前記表示手段に表示されている機能項目と、押下されている数字キーとを関連付けて記憶する記憶手段を有するので、表示手段に表示されている機能項目を迅速に選択することができる。
【００３１】
請求項４に係る電子機器は、前記記憶手段は、数字キーの所定時間押下され続けていることにより、機能項目と数字キーの関連付けを記憶する記憶手段を有するので、現在表示手段に表示されている機能項目と、数字キーの関連付けを、ユーザ任意の数字キーを所定の時間押下し続けるという単純な操作で行うことができる。ユーザはショートカット方式における機能項目と数字キーとの関連付けを簡単な操作で行うことができる。
【００３２】
請求項５に係る電子機器は、複数の機能項目を選択可能とする機能選択モードに移行するファンクションキーと、数字を入力する数字キーを有する操作部と、前記ファンクションキーを押下して移行した機能選択モードにおいて、前記数字キーのうち１つの数字キーを押下することにより前記１つの数字キーと関連付けられた機能項目を選択する機能項目選択手段と、前記機能選択モード時に、選択された機能項目を表示するための表示手段と、前記機能選択モード時に、数字キーを所定の時間押し続けることにより、前記表示手段に表示されている機能項目と、押下されている数字キーとを関連付けて記憶する記憶手段とを有するので、ユーザの所望する機能項目を、任意の数字キーと関連付けて記憶させることができ、ユーザ自身が設定した関連付けに基いて、機能項目をショートカット方式で選択することができる。
この結果、ユーザは、自分の操作しやすい数字キーと、使用頻度の高い機能項目を関連付けることができるので、ユーザそれぞれに持つ操作の癖に対応可能な機能選択時における操作性のよい電子機器を提供することができる。
【００３３】
請求項６に係る電子機器は、機能項目が前記記憶手段に数字キーと関連付けて記憶されているか否か判断する判断手段を備え、該判断手段が、前記機能選択モード時に現在前記表示手段に表示されている機能項目が前記記憶手段に数字キーに関連付けられて記憶されていないと判断すると、前記記憶手段は、表示手段に表示されている機能項目と押下されている数字キーと関連付けて記憶するので、数字キーと機能項目の関連付けを変更することができる。これにより、様々な状況において、機能項目選択の操作性のよい電子機器を提供することができる。
【００３４】
請求項７に係る電子機器は、前記操作部は、機能項目を選択不可とする削除キーを有し、前記機能選択モード時に、前記削除キーの押下により、現在選択されている機能項目を選択不可とする機能選択制限手段を有するので、ユーザ任意に機能項目を選択不可とすることができる。ユーザは、使用しない機能項目を選択不可とすることにより、機能項目選択時に、不必要にキー操作を行う必要がなくなり、機能項目選択時に必要となる時間や手間を省くことができる。
【００３５】
請求項８に係る電子機器は、前記操作部は、機能選択制限手段により選択不可となっている機能項目を選択可能に変更するための復帰キーを有し、前記機能選択モード時に、前記復帰キーの押下により、選択不可となっている機能項目を選択可能とする機能復帰手段を有するので、機能項目を選択不可から選択可能へと変更することができる。これにより、ユーザが誤って機能項目を選択不可にした場合や、選択不可にしている機能項目が必要になった場合においても、機能項目を選択し、使用することができる。
【００３６】
請求項９に係る電子機器は、複数の機能項目を選択可能とする機能選択モードに移行するファンクションキーと、該ファンクションキーを押下して移行した機能選択モードにおいて、機能項目を選択する機能項目選択手段と、機能項目を選択不可とする削除手段と、前記機能選択モード時に、前記削除手段の操作により、現在選択されている機能項目を選択不可とする機能選択制限手段とを有する。これにより、機能選択モードにおいて、ユーザが使用しない機能項目を選択し、選択不可とすることができる。機能選択時に選択不可となった機能項目のために、キー操作を行う必要がなくなり、機能項目の選択に要する手間や時間を省くことができる。
【００３７】
請求項１０に係る電子機器は、前記機能選択制限手段により、選択不可となっている機能項目を選択可能に変更するための復帰手段と、前記機能選択モードにおいて、前記復帰手段の操作により、選択不可となっている機能項目を選択可能とする機能復帰手段を有する。機能選択不可となっている機能項目も、選択可能に変更することができる。この結果、常用しない機能項目が必要となった場合にも、機能項目を使用することが可能となる。
【００３８】
請求項１１に係る電子機器は、機能項目の数をカウントする機能項目数判断手段と、機能項目数判断手段が、機能項目数が単一であると判断した場合には、単一である機能項目を選択、決定する第２機能項目決定手段を有するので、機能項目が単一であり、選択する必要のない時には、機能選択モードにすることにより、機能項目の選択に係る操作を行わずに機能項目を選択し、決定することができる。これにより、ユーザは、簡単な操作で、迅速に機能項目を選択し、実行することができる。
【００３９】
請求項１２に係る電子機器は、前記機能項目と、前記数字キーとの関連付けを複数パターン記憶するパターン記憶手段と、前記機能項目と、前記数字キーとの関連付けを複数パターンから所望のパターンに切り換えるパターン切換手段を有するので、数字キーと機能項目との関連付けのパターンを複数記憶し、複数パターンより選択、実行することができる。これにより、電子機器を複数のユーザが共有する場合や、使用目的によって常用する機能項目が異なる場合などにも、ユーザそれぞれに対応するパターンや、使用目的ごとに異なるパターンを設定し、状況に応じて、関連付けのパターンを切り換えることにより、効率の良い機能項目の実行が可能となる。
【００４０】
請求項１３に係る電子機器は、前記パターン記憶手段に記憶されている機能項目と数字キーとの関連付けのパターンを変更するパターン変更手段を有するので、一度設定した
機能項目と数字キーの関連付けを、再度設定しなおすことができる。この結果、ユーザは、機能項目と数字キーの関連付けを、常にユーザの使いやすい態様に更新していくことが可能となり、ユーザや電子機器の使用目的に、最適なパターンを使用することができる。
【００４１】
請求項１４に係る電子機器は、複数の機能項目の内一つを選択し、選択されている機能項目に従属する複数の設定項目を選択可能とする設定選択モードにおいて、前記操作部は、設定項目を選択不可とする削除キーを有し、前記設定選択モード時に、前記削除キーの押下により、現在選択されている設定項目を選択不可とする設定選択制限手段を有するので、ユーザは、任意に設定項目を選択不可とすることができる。ユーザは、使用しない設定項目を選択不可とすることにより、設定項目選択時においても、不必要にキー操作を行う必要がなくなり、機能項目選択時と同様に、設定項目の選択に要する時間や手間を省くことができる。
【００４２】
請求項１５に係る電子機器は、前記操作部は、設定選択制限手段により選択不可となっている設定項目を選択可能に変更するための復帰キーを有し、前記設定選択モード時に、前記復帰キーの押下により、選択不可となっている設定項目を選択可能とする設定復帰手段を有するので、設定項目を選択不可から選択可能へと変更することができる。これにより、ユーザが誤って設定項目を選択不可にした場合や、選択不可にしている設定項目が必要になった場合においても、設定項目を選択および、選択可能な状態に戻すことができる。
【００４３】
請求項１６に係る電子機器は、複数の機能項目の内一つを選択し、選択されている機能項目に従属する複数の設定項目を選択可能とする設定選択モードにおいて、設定項目を選択する設定項目選択手段と、設定項目を選択不可とする設定削除手段と、前記設定選択モード時に、前記削除手段の操作により、現在選択されている設定項目を選択不可とする設定選択制限手段とを有する。これにより、機能項目選択時と同様に、設定項目選択時において、ユーザが使用しない設定項目を選択不可とすることができる。設定項目選択時には、選択不可となった設定項目に係る操作を省略することができるので、機能項目選択時と同様に、設定項目選択時に要する手間や時間を省くことができる。
【００４４】
請求項１７に係る電子機器は、前記設定選択制限手段により、選択不可となっている設定項目を選択可能に変更するための復帰手段と、前記設定選択モードにおいて、前記復帰手段の操作により、選択不可となっている設定項目を選択可能とする設定復帰手段を有するので、選択不可となっている設定項目を選択可能な状態に変更することができる。この結果、ユーザが操作を誤り選択不能となった設定項目や常用しない設定項目が必要となった場合にも、再度、設定項目を選択可能な状態に戻し、使用することができる。
【００４５】
請求項１８に係る電子機器は、現在選択されている機能項目に従属する前記設定項目の数が単一であるか否かについて判断する設定項目数判断手段と、前記設定項目数判断手段が、設定項目数が単一であると判断した場合には、単一である設定項目を選択、実行する設定項目実行手段を有する。これにより、選択した機能項目に従属する設定項目が単一である場合には、機能項目を選択することで、設定項目の選択、決定までを行うことができる。ユーザは、設定項目の選択の余地がないはずなのに発生していた操作を省略することができ、快適な設定項目の選択を行うことができる。
【発明を実施するための最良の形態】
【００４６】
以下に、本発明に係る電子機器を具体化した実施形態について、テープ印字装置１を例として、図面を参照しながら説明する。図１及び図２を参照しながら説明する。図１は本実施形態に係るテープ印字装置１の斜視図、図２は本実施形態に係るテープ印字装置１の正面図である。
【００４７】
図１及び図２に示すように、テープ印字装置１は、合成樹脂製の本体２と、この本体２の背面部（テープ印字装置１を使用する際に使用者と対向する面と反対側の面）全体を覆うように着脱可能に取り付けられる合成樹脂製の背面カバー３とから構成されている。また、本体２の長手方向のほぼ上半分側の部分は、水平視やや丸く形成され、この上側表面の略中央部には左右方向に横長の窓部５が穿設され、この窓部５の下側には液晶ディスプレイ６が配設されている。また、本体２の液晶ディスプレイ６の左側側面部には、カッターレバー７が設けられ、このカッターレバー７を親指などで内側に押すことにより印字されて上端部に形成されるテープ排出口８（図３参照）から排出された印字用テープ（図示せず）を切断刃（図示せず）にて切断することができる。また、印字用テープは接着層を介して文字が印刷される受像紙と接着面を保護する剥離紙よりなる。
【００４８】
また、本体２の長手方向のほぼ下半分側の部分の左右幅寸法は、その上側部分の左右幅寸法よりも少し狭く形成されると共に、左右側面の角部も丸く形成され、把持部９を構成している。また、背面カバー３の把持部９に対応する部分の左右側面の角部も丸く形成されている。また、本体２に取り付けられる背面カバー３は、テープカセット１０に対向する部分から把持部９にかけてテープ印字装置１の厚さ寸法がなだらかに小さくなるように形成され、把持部９の厚さ寸法は、テープカセット１０が収納されている部分の厚さ寸法よりも小さくなるように形成され、操作者の手に持ちやすいように把持部９が構成されている。
【００４９】
また、把持部９の表面には、軟質ゴム製等で形成され、文書データからなるテキストを作成するための文字キー１１、スペースを入力するスペースキー１２、カーソル後方のデータを消去するバックスペースキー１３、アルファベットの大文字と小文字とを押下する毎に切り換える切換キー１４、書式等の機能項目を選択可能な機能選択モードに移行するためのファンクションキー１５、テキストの印字を指令する印字キー１６、及び、文字等のキャラクタを表示する液晶ディスプレイ６上でカーソルを左右に移動させるカーソルキー１７、電源をオン・オフする電源ボタン１８、文字選択等を指令するエンターキー１９等を備えるキーボード２０が配置されている。
【００５０】
また、各文字キー１１は、数字を入力する数字キー１１ａと、アルファベットを入力する英字キー１１ｂで構成されている。例えば、文字キー１１の上面部に「Ａ」の文字が印刷されている場合には、この文字キー１１を押下すると、切換キー１４の入力状態を判断し、液晶ディスプレイ６上のカーソル位置に「Ａ］若しくは、「ａ」の文字が表示され、エンターキー１９を押下することによって入力文字が確定される。
【００５１】
また、図２に示すように、本体２の把持部９の裏面部には、各文字キー１１、スペースキー１２、エンターキー１９等を備えるキーボード２０が上面部に配置される不図示の基板が設けられている。また、本体２の把持部９と液晶ディスプレイ６との間の裏面部には、制御回路部が構成される制御基板（図示せず）が配設されている。そして、不図示の制御基板において、後述するサーマルヘッド２１に対して反対側であり、本体２の長手方向上側には、不図示のギヤー列を介してテープ送り手段であるプラテンローラ２２（図３参照）を回転駆動する駆動モータ２３が本体２の裏面部に配設されている。
【００５２】
また、本体２の液晶ディスプレイ６、及び駆動モータ２３等の背面側の開口部には、後述のようにテープカセット１０が収納されるカセット収納部２４（図３参照）や６個の乾電池２５が２本ずつ直列に収納される電池収納部２６（図３参照）が背面部に形成される合成樹脂製の仕切り部材２７がネジ止めされている（図３参照）。
【００５３】
次に、この仕切り部材２７等の構成について図３に基づいて説明する。図３は、テープ印字装置１において、背面カバー３、テープカセット１０を取り外した状態の説明図である。図３に示すように、仕切り部材２７の長手方向上半分側の部分には、テープカセット１０の外形とほぼ同じ水平断面略四角形状で、ほぼテープカセット１０の厚さ寸法にほぼ等しい深さ寸法裏側に膨出するように形成されるカセット収納部２４が設けられている。また、このカセット収納部２４のカッターレバー７側の端縁部近傍の底面部には、複数の発熱素子（図示せず）を列設するとともに、印字用テープに印字リボン（図示せず）を介して文字等の印字を行うサーマルヘッド２１が取り付けられる薄板状のサーマルヘッド取付部２８が、本体２の長手方向に沿うように直角外側方向に立設されている。また、サーマルヘッド２１に対向するカセット収納部２４の側面部は切り欠かれると共に、この切欠部に対向する仕切り部材２７の裏面部にプラテンホルダ２９が下端部の回転軸３０を中心に回動可能に設けられている。
そして、カセット収納部２４の底面部には、複数個の検出スイッチ３１が配設されており、かかる検出スイッチ３１は、テープカセット１０をカセット収納部２４にセットした際に、テープカセット１０の底面に形成された複数個の凹凸部（図示せず）を介して選択的にオン・オフされる。
【００５４】
前記テープカセット１０には、印字用テープ及び印字リボンが内蔵されており、テープ印字装置１において、テープ幅の異なる複数種類のテープカセット１０が使用可能である。
ここで、テープカセット１０に内蔵された印字用テープのテープ幅の検出方法について説明する。テープカセット１０の底面には、前記したように、テープカセット１０に内蔵されている印字用テープのテープ幅の種類を特定するように凹凸部（図示せず）が選択的に形成されており、かかる凹凸部は、テープカセット１０をカセット収納部２４にセットした際に、検出スイッチ３１を選択的にオン・オフする。これにより、各検出スイッチ３１からは、そのオン・オフのスイッチ信号を組み合わせたスイッチ信号パターンが得られる。
一方、後述するＲＯＭ４０には、テープカセット１０に内蔵されている印字用テープのテープ幅の種類と、各検出スイッチ３１より得られるスイッチ信号パターンの組合せとを相互に対応させ、テープ幅を検出する検出用テーブル４１が格納されている。
そして、テープカセット１０をカセット収納部２４にセットした際に、各検出スイッチ３１から出力されるスイッチ信号パターンと前記テープカセット検出用テーブル４１とを相互に参照することにより、テープカセット１０に内蔵されている印字用テープのテープ幅が検出されることになる。
【００５５】
次に、上記ように構成されるテープ印字装置１の制御系について図４を参照して説明する。図４は本実施形態に係るテープ印字装置１の制御構成を示すブロック図である。図４に示すように、テープ印字装置１は制御部ＣＵを核として構成されている。この制御部ＣＵはＣＰＵ４２、ＲＯＭ４０、ＣＧ−ＲＯＭ４３、ＲＡＭ４５、及び、入出力インターフェース４６から構成され、これらはバス線４７を介して相互に接続されている。
【００５６】
ここに、ＲＯＭ４０は各種のプログラムを記憶させておくものであり、テープ印字装置１の制御上必要なプログラムや、後述する書式に関する機能項目や、機能項目に従属する設定項目の実効に係るプログラム、更に、本実施形態におけるショートカットに関する各種プログラムがプログラムメモリ４８に記憶されている。
そして、ＣＰＵ４２は、かかるプログラムメモリ４８に記憶されている各種のプログラムに基づいて各種の演算を行なうものである。また、ＲＯＭ４０には、テープカセットのテープ幅を判断する検出用テーブル４１や、キーボード１９から入力されるテキストの仮名・漢字変換を行う際に使用される辞書メモリ４９を有している。多数の文字等のキャラクタのそれぞれについて、各キャラクタの輪郭線を規定する輪郭線データ（アウトラインデータ）が各書体（ＨＥＬＳＩＮＫＩ書体、ＯＫＬＡＨＯＭＡ書体等）毎に分類されてコードデータに対応して記憶されている。このアウトラインデータに基づいてドットパターンデータがイメージバッファ上に展開される。
【００５７】
また、ＣＧ−ＲＯＭ４３にはキーボード２０から入力される各キャラクタに対応するドットパターンデータが記憶されており、ドットパターンデータがＣＧ−ＲＯＭ４３から読み出され、そのドットパターンデータに基づいて液晶ディスプレイ６上にドットパターンが表示される。また、ＲＡＭ４５はＣＰＵ４２により演算された各種の演算結果を一時的に記憶させておくためのものであり、かかるＲＡＭ４５には、書式に関する機能項目と、数字キー１１ａとの関連付けを記憶するショートカットテーブル５０や、テキストバッファ５１、プリントバッファ５２等の各種のメモリが設けられている。
【００５８】
また、入出力インターフェース４６には、カセット収納部８に設けられる検出スイッチ３１、キーボード２０が接続されている。また、液晶ディスプレイ６を駆動制御するディスプレイ駆動回路５３が接続されており、キーボード２０を介して文字等が入力された場合、その文書データがテキストバッファ５１に順次記憶されていくとともに、キーボード２０を介して入力された文字等に対応するドットパターンが液晶ディスプレイ６上に表示される。また、サーマルヘッド１１を駆動制御するヘッド駆動回路５４が接続され、プラテンローラ２２と協動してプリントバッファ５２に転送されたドットパターンデータが印字される。また、駆動モータ２３を駆動制御するモータ駆動回路５５が接続され、印字された印字テープを送り出す。
【００５９】
ここで、本実施形態において、実施可能な機能項目について、図５を参照しつつ、説明する。図５は、本実施形態における機能項目及び設定項目を示す説明図である。
本実施形態における機能項目は、「ＦＯＮＴ」、「ＳＩＺＥ」、「ＳＴＹＬＥ」、「ＵＮＤＬ／ＦＲＭ」、「ＭＩＲＲＯＲ」の５項目である。これらの機能項目について、説明する。
【００６０】
先ず、機能項目「ＦＯＮＴ」は、文字キー１１により入力された文書の書体を変更する機能である。機能項目「ＦＯＮＴ」を変更することにより、文書データの印字用テープへの印字はもちろん、液晶ディスプレイ６における表示も変更される。本実施形態にて機能項目「ＦＯＮＴ」に従属する設定項目は、「ＨＥＬＳＩＮＫＩ」、「ＯＫＬＡＨＯＭＡ」の２種類である。
【００６１】
次に、機能項目「ＳＩＺＥ」は、文書における文字の大きさを変更する機能である。機能項目「ＳＩＺＥ」を変更することにより、「ＦＯＮＴ」同様、印字用テープへの印字、液晶ディスプレイ６における表示も変更される。本実施形態にて、機能項目「ＳＩＺＥ」に従属する設定項目は、「ＡＵＴＯ」、「ＳＩＺＥ１」、「ＳＩＺＥ２」、「ＳＩＺＥ３」、「ＳＩＺＥ４」、「ＳＩＺＥ５」の６種類である。設定項目「ＳＩＺＥ１」・・・「ＳＩＺＥ５」は、それぞれの設定項目に設定されている文字の大きさを変更する設定項目である。「ＳＩＺＥ１」がもっとも小さく、「ＳＩＺＥ５」がもっとも大きな文字に変更する設定項目となっている。そして、設定項目「ＡＵＴＯ」は、前述した各検出スイッチ３１により検出されたテープカセット１０に内蔵されたテープ幅に応じて、最適な文字の大きさに変更する設定項目である。
【００６２】
機能項目「ＳＴＹＬＥ」は、文書における字体の修飾に関する機能である。機能項目「ＳＴＹＬＥ」を変更することにより、印字用テープの印字等を変更することができる。本実施形態において、機能項目「ＳＴＹＬＥ」に従属する設定項目は、「ＮＯＲＭＡＬ」、「ＢＯＬＤ」、「ＯＵＴＬＩＮＥ」、「ＳＨＡＤＯＷ」、「ＩＴＡＬＩＣ」、「Ｉ＋ＢＯＬＤ」、「Ｉ＋ＯＵＴＬ」、「Ｉ＋ＳＨＡＤＯＷ」の８種類である。
ここで、それぞれの文字修飾に関して簡単に説明する。まず、文字修飾を行わない設定である「ＮＯＲＭＡＬ」がある。そして、「ＢＯＬＤ」は、文字を太文字に変更する設定項目である。設定項目「ＯＵＴＬＩＮＥ」は、文字の外縁を残し、内部を白抜きに変更する設定項目である。「ＳＨＡＤＯＷ」は、文字に影をつけて浮き上がって見えるように変更する設定項目であり、「ＩＴＡＬＩＣ」は、文字を斜体に変更する設定項目である。
そして、残る設定項目「Ｉ＋ＢＯＬＤ」、「Ｉ＋ＯＵＴＬ」、「Ｉ＋ＳＨＡＤＯＷ」は、前述した設定項目を組み合わせた態様に変更する設定項目である。例えば、「Ｉ＋ＢＯＬＤ」は、「ＩＴＡＬＩＣ」と「ＢＯＬＤ」を組み合わせた態様であるので、文字を斜体且つ太文字に変更する設定項目である。
【００６３】
次に、機能項目「ＵＮＤＬ／ＦＲＭ」について説明する。機能項目「ＵＮＤＬ／ＦＲＭ」は、文書に字体以外の部分の修飾に関する機能である。機能項目「ＵＮＤＬ／ＦＲＭ」を変更することにより、印字用テープ９に印字される文書の修飾態様を変更することができる。本実施形態において、機能項目「ＵＮＤＬ／ＦＲＭ」に従属する設定項目は、「ＯＦＦ」、「ＵＮＤＬ」、「ＲＯＵＮＤ」、「ＢＡＮＮＥＲ」、「ＷＯＯＤＥＮ」、「ＶＩＮＥ」の６種類である。
ここで、機能項目「ＵＮＤＬ／ＦＲＭ」に従属する設定項目について、簡単に説明する。機能項目「ＵＮＤＬ／ＦＲＭ」は、文書の下方に傍線を引く「ＵＮＤＬ」に関する設定項目と、選択された文書の周囲を枠状の修飾で囲む「ＦＲＭ」に関する設定項目からなる。
設定項目「ＵＮＤＬ」は、選択されている文書の下方に傍線を引く設定項目である。そして、「ＦＲＭ」に関する設定項目は、「ＲＯＵＮＤ」、「ＢＡＮＮＥＲ」、「ＷＯＯＤＥＮ」、「ＶＩＮＥ」の４種類である。設定項目「ＲＯＵＮＤ」は、選択されている文書の周囲を長方形状の枠で囲む設定である。設定項目「ＢＡＮＮＥＲ」、「ＷＯＯＤＥＮ」、「ＶＩＮＥ」は、それぞれ、リボン上に文書が配置されているように周囲を修飾したり、木製の板上に文書が配置されているように周囲を修飾したりする等のデザイン性に富んだ修飾を施す設定である。また、設定項目「ＯＦＦ」は、文書の周囲には何等の修飾も施さない設定である。
【００６４】
最後に、機能項目「ＭＩＲＲＯＲ」について説明する。機能項目「ＭＩＲＲＯＲ」は、選択された文書の左右を反転させる機能である。機能項目「ＭＩＲＲＯＲ」には、設定項目が存在しない。機能項目「ＭＩＲＲＯＲ」を選択した時点で、ユーザが文書の左右反転を行う意思が明白であるからである。よって、機能項目「ＭＩＲＲＯＲ」を選択した際には、機能項目「ＭＩＲＲＯＲ」を選択後に、設定項目の選択に移行することはない。機能項目「ＭＩＲＲＯＲ」を選択することにより、機能のオン・オフを切り換えるように設定されている。
【００６５】
本実施形態では、ある機能項目と、ある数字キー１１ａとを関連付けたショートカットを複数パターン保存し、選択することができる。この機能は、機能選択モードにおいて、カスタムキー３２（文字キー１１「Ｃ」）を入力することにより、カスタムモードに移行することで実現する。
ここで、カスタムモードにおける設定項目に関して説明する。本実施例におけるカスタムモードでは、機能項目と数字キー１１ａの関連付けのパターン（以後、ショートカットパターンという）を３パターン変更、保存、選択することが可能である。図６は、カスタムモードにおけるショートカットパターン選択の説明図である。
先ず、カスタムモードにおいては、３パターンのショートカットパターンから選択することができる。３パターンのショートカットパターンは、それぞれ、「ＣＵＳＴＯＭ１」、「ＣＵＳＴＯＭ２」、「ＣＵＳＴＯＭ３」と表示され、これを選択することで、ショートカットパターンに基いた機能項目のショートカット選択が可能となる。
次に、ショートカットパターン選択後、選択したショートカットパターンについて行う処理についての項目選択を行う。図７は、ショーカットパターン毎に実行可能な項目の説明図である。具体的には、変更したショートカットパターンを上書き保存する「ＳＴＯＲＥ」、ユーザ操作による変更を破棄し、直近の保存状態にショートカットパターンを戻す「ＲＥＳＴＯＲＥ」、ショートカットパターンを初期設定に戻す「ＤＥＬＥＴＥ」の３つを選択することができる。
【００６６】
次に、前記のように構成されたテープ印字装置１の制御プログラムについて図８乃至図１６に基づき説明する。
まず、テープ印字装置１の基本制御プログラムに関して図８を用いて説明する。図８は、テープ印字装置１の基本制御プログラムのフローチャートである。
【００６７】
先ず、電源ボタン１８の押下により、電源がオンされると、ステップ（以下、Ｓと略記する）１において各メモリのクリア等の初期化処理が行われる。そして、初期化処理が行なわれた後、基本制御が開始される。
【００６８】
まず、Ｓ２において、キー入力されたか否かの判断がなされる。キー入力された場合に（Ｓ２：ＹＥＳ）は、Ｓ３へ移行し、キー入力されない場合（Ｓ２：ＮＯ）には、キー入力されるまで、処理を待機する。
Ｓ３では、文書入力であるか否かが判断される。文書入力である場合（Ｓ３：ＹＥＳ）には、Ｓ４に移行し、文書入力処理（Ｓ４）を行う。文書入力処理でない場合（Ｓ３：ＮＯ）には、Ｓ５に移行する。
【００６９】
Ｓ４における文書入力処理では、数字キー１１ａ、英字キー１１ｂからなる文字キー１１等の各種キーの入力に応じて、ＲＯＭ４０より、キー入力された順にキャラクタデータを読み出し、文書データとして、テキストバッファ５１に格納すると共に、テキストバッファ５１に格納されている文書データを液晶ディスプレイ６に表示する処理を行う。文書入力処理（Ｓ４）終了後には、Ｓ２に戻る。
【００７０】
Ｓ５においては、印刷を実行するか否かについての判断がなされる。具体的には、印字キー１６が押下されたか否かについての判断がなされ、印刷を実行する場合（Ｓ５：ＹＥＳ）には、Ｓ６に移行し、印刷処理（Ｓ６）を行う。印刷処理を実行しない場合（Ｓ５：ＮＯ）には、Ｓ７に移行する。
【００７１】
Ｓ６における印刷処理では、テキストバッファ５１に格納されている文書データを、プリントバッファ５２に展開し、プラテンローラ２２、サーマルヘッド２１の稼働により、プリントバッファ５２に展開された文書データを印字用テープに印刷する。印刷処理（Ｓ６）終了後、Ｓ２に戻る。
【００７２】
Ｓ７においては、機能選択を行うか否かの判断がなされる。具体的には、ファンクションキー１５が押下されたか否かの判断が行われ、機能選択を行う場合（Ｓ７：ＹＥＳ）には、機能選択処理（Ｓ８）に移行する。機能選択処理（Ｓ８）については、後に図を参照しつつ、詳細に説明する。機能選択処理（Ｓ８）終了後には、Ｓ２に戻る。また、機能選択を行わない場合（Ｓ７：ＮＯ）には、Ｓ９へと移行する。
【００７３】
Ｓ９においては、リセットするか否かについての判断が行われる。リセットは、電源ボタン１８を一定時間（約２秒）押下された場合に行われる。リセットを行う場合（Ｓ９：ＹＥＳ）には、Ｓ１０に移行する。リセットを行わない場合には、Ｓ１１に移行する。
【００７４】
Ｓ９でリセットを行う判断をした場合（Ｓ９：ＹＥＳ）には、Ｓ１０にて、コールドスタートが行われる。コールドスタートとは、電源投入時と同様に、メモリの内容などが完全にクリアする処理のことである。コールドスタート（Ｓ１０）終了後は、Ｓ２に戻る。
【００７５】
Ｓ９にて、リセットを行わないと判断した場合（Ｓ９：ＮＯ）には、Ｓ１１にて、その他の処理が行われる。具体的には、ＣＡＰＳ切換処理、記号選択処理、アクセント記号追加処理、カーソルキー１７によるカーソル移動処理が行われる。その他の処理（Ｓ１１）終了後には、Ｓ２へと戻る。
【００７６】
次に、Ｓ８における機能選択処理について、図９を参照しながら詳細に説明する。図９は、機能選択処理における処理プログラムのフローチャートである。
先ず、Ｓ１２にて、機能項目が単一であるか否かの判断がなされる。機能項目が単一である場合（Ｓ１２：ＹＥＳ）には、Ｓ２８に移行する。ここで、機能項目が単一である場合とは、例えば、後述する機能削除処理により、初期設定されている機能項目が削除され、「ＳＩＺＥ」の機能項目のみが存在しているといった状態のことをいう。機能項目が単一でない場合（Ｓ１２：ＮＯ）には、Ｓ１３に移行する。
【００７７】
Ｓ１３では、キー入力がされたか否かについての判断が行われる。テープ印字装置１に配設されている各種キーの何れかが押下され、キー入力がされた場合（Ｓ１３：ＹＥＳ）には、Ｓ１４へと移行し、キー入力がされない場合（Ｓ１３：ＮＯ）には、再度Ｓ１３に戻り、キー入力がなされるまで待機する。
【００７８】
Ｓ１４においては、Ｓ１３で入力されたキーがカーソルキー１７であるか否かについての判断がなされる。カーソルキー１７が入力された場合（Ｓ１４：ＹＥＳ）には、Ｓ１５に移行する。カーソルキー１７が入力されない場合（Ｓ１６：ＮＯ）には、Ｓ１６に移行する。
【００７９】
Ｓ１５では、Ｓ１４で入力されたカーソルキー１７が、右方向であるか、左方向であるかに応じて、液晶ディスプレイ６の表示態様を変化させる表示変更処理が行われる。具体的には、ファンクションキーを押下した状態の「Ｆ」の表示より右カーソルキーを１回入力するごとに、「ＦＯＮＴ」、「ＳＩＺＥ」、「ＳＴＹＬＥ」、「ＵＮＤＬ」、「ＦＲＭ」、「ＦＯＮＴ」と表示態様を変更する。また、左カーソルキーを１回入力した場合には、右カーソルキー入力時とは逆に、「ＦＲＭ」、「ＵＮＤＬ」・・・「ＦＯＮＴ」、「ＦＲＭ」と表示態様が変化する。表示変更処理（Ｓ１５）終了後、Ｓ１３に戻る。
【００８０】
Ｓ１６では、機能削除キー３３が入力されたか否かについて判断を行う。ここで、本実施形態では、機能削除キー３３として、文字キー「Ｄ」を用い、機能選択処理において、文字キー「Ｄ」が入力された場合を、機能削除キー３３が入力されたものとみなす。機能削除キー３３が入力された場合（Ｓ１６：ＹＥＳ）には、Ｓ１７に移行する。機能削除キー３３が入力されなかった場合（Ｓ１６：ＮＯ）には、Ｓ１８に移行する。
【００８１】
Ｓ１７においては、機能削除処理が行われる。機能削除処理については、後に図１１を参照して、詳細に説明する。機能削除処理（Ｓ１７）終了後には、機能選択処理を終了し、テープ印字装置１の基本制御のフローチャート（図８）に戻る。
Ｓ１８では、カスタムキー３２が入力されたか否かが判断される。本実施形態において、カスタムキー３２は文字キー「Ｃ」であり、この文字キー「Ｃ」を押下することにより、カスタムキー３２が入力されたものと判断する。カスタムキー３２が入力された場合（Ｓ１８：ＹＥＳ）には、Ｓ１９へと移行する。カスタムキー３２が入力されなかった場合（Ｓ１８：ＮＯ）には、Ｓ２０へと移行する。
【００８２】
Ｓ１９においては、カスタム処理が行われる。カスタム処理については、後に図１３を参照して、詳細に説明するので、ここでの説明は省略する。カスタム処理（Ｓ１９）終了後には、機能選択処理を終了し、テープ印字装置１の基本制御フローチャートに戻る。
Ｓ１８にて、カスタムキー３２が入力されなかった場合（Ｓ１８：ＮＯ）には、Ｓ２０で、エンターキー１９が入力されたか否かについて判断される。エンターキー１９が入力された場合（Ｓ２０：ＹＥＳ）には、Ｓ２８へと移行する。エンターキー１９が入力されなかった場合には、Ｓ２１へと移行する。
【００８３】
Ｓ２１では、数字キー１１ａが入力されたか否かの判断がなされる。即ち、ショートカット方式によって、機能項目の選択を行うか否かの判断がなされる。数字キー１１ａが入力された場合（Ｓ２１：ＹＥＳ）には、Ｓ２２に移行する。数字キー１１ａが入力されなかった場合（Ｓ２１：ＮＯ）には、Ｓ２３に移行する。
【００８４】
Ｓ２３では、キャンセルキーが入力されたか否かについての判断がなされる。本実施例においては、バックスペースキー１３がキャンセルキーに相当する。キャンセルキー（バックスペースキー１３）が入力された場合（Ｓ２３：ＹＥＳ）には、機能選択処理を終了し、テープ印字装置１の基本制御フローチャートに戻る。キャンセルキーが入力されなかった場合（Ｓ２３：ＮＯ）には、Ｓ１３に戻る。
【００８５】
Ｓ２１において、数字キー１１ａが入力された場合には、Ｓ２２で、数字キー１１ａに対する機能が無登録であるか否かについての判断が行われる。数字キー１１ａに対する機能が無登録の場合（Ｓ２２：ＹＥＳ）には、Ｓ２４に移行する。数字キー１１ａに対する機能が無登録ではない場合（Ｓ２２：ＮＯ）には、Ｓ２５に移行する。
【００８６】
Ｓ２４では、入力された数字キー１１ａに対して、機能項目を登録する機能登録処理が行われる。機能登録処理は、液晶ディスプレイ６に表示されている機能項目を、入力された数字キー１１ａと関連付けて、ショートカットテーブル５０に登録する処理である。この時、入力された数字キー１１ａと機能項目の関連付けの登録済、未登録に関わらず、液晶ディスプレイ６に表示されている機能項目と、入力された数字キー１１ａとを関連付けて、ショートカットテーブル５０に登録する。機能登録処理（Ｓ２４）終了後は、Ｓ１３に戻る。
【００８７】
数字キー１１ａに対する機能が無登録ではない場合（Ｓ２２：ＮＯ）には、Ｓ２５にて、入力された数字キー１１ａが一定時間（約２秒）押下されたか否かについて判断される。数字キー１１ａが一定時間押下された場合（Ｓ２５：ＹＥＳ）には、Ｓ２４へ移行し、機能登録処理を行う。すなわち、Ｓ２５、Ｓ２４の処理を経ることで、既に、ある機能項目と関連付けられている数字キー１１ａを、現在の機能項目との関連付けを破棄し、新たに別の機能項目と関連付けるという処理を行うことになる。数字キー１１ａが一定時間押下されなかった場合（Ｓ２５：ＮＯ）には、Ｓ２６へと移行する。
Ｓ２５において、数字キー１１ａを一定時間押下しなければ、機能項目と数字キー１１ａの関連付けを更新できないようにしたのは、キー操作を誤り、ユーザの意図しない機能項目と数字キー１１ａが関連付けられてしまうことがないようにするためである。
【００８８】
Ｓ２６においては、入力された数字キー１１ａと、液晶ディスプレイ６に表示されている機能項目が一致するか否かについての判断が行われる。ＲＡＭ４５に格納されているショートカットテーブル５０を参照して、入力された数字キー１１ａと、現在、液晶ディスプレイ６に表示されている機能項目が一致しているか否かの判断を行う。入力された数字キー１１ａと、表示されている機能項目が一致している場合（Ｓ２６：ＹＥＳ）には、Ｓ２８（図１０参照）に移行する。入力された数字キー１１ａと、表示されている選択項目が一致しない場合（Ｓ２６：ＮＯ）には、Ｓ２７へ移行する。
【００８９】
Ｓ２７では、表示変更処理が行われる。Ｓ２６において、入力された数字キー１１ａに関連付けられている機能項目と、液晶ディスプレイ６に表示されている機能項目が一致していないので、ＲＡＭ４５に格納されているショートカットテーブル５０を参照し、入力された数字キー１１ａに対応する機能項目に、液晶ディスプレイ６の表示態様を変更する処理が行われる。入力された数字キー１１ａに対応した機能項目に液晶ディスプレイ６の表示を変更後、表示変更処理（Ｓ２７）を終了し、Ｓ１３へと戻る。
【００９０】
次に、Ｓ１２において機能項目が単一である場合（Ｓ１２：ＹＥＳ）、Ｓ２０においてエンターキー１９が入力された場合（Ｓ２０：ＹＥＳ）、Ｓ２６において入力された数字キー１１ａに対応する機能項目と、表示されている機能項目が一致した場合（Ｓ２６：ＹＥＳ）に移行するＳ２８以後の処理について、図１０を参照して詳細に説明する。図１０は、機能選択処理におけるＳ２８以後の処理のフローチャートである。
Ｓ２８においては、設定項目のない単独機能であるか否かについての判断がなされる。ここで、「設定項目のない単独機能」とは、機能項目に従属している設定項目が存在しない状態の機能項目をさす。例えば、機能項目「ＭＩＲＲＯＲ」は、文書データの左右を反転させて印刷する設定項目である。Ｓ２８において、ＹＥＳと判断されるのは、機能項目「ＭＩＲＲＯＲ」のように、その機能の有無のみで構成されるものである。設定項目のない単独機能である場合（Ｓ２８：ＹＥＳ）には、Ｓ２９に移行する。設定項目のない単独機能でない場合（Ｓ２８：ＮＯ）、すなわち、機能項目に従属する設定項目が存在する場合には、Ｓ３０に移行する。
【００９１】
Ｓ２９では、現在選択されている機能項目が、機能オフとなっているか否かについての判断がなされる。Ｓ２８と同様に、機能項目「ＭＩＲＲＯＲ」を例として説明する。前述のように、機能項目「ＭＩＲＲＯＲ」は、文書データの左右を反転させて印刷するか否かのみで構成されている。この場合、機能項目を選択するだけで機能をオン、オフするようにする。
Ｓ２９において、機能オフではないと判断された場合（Ｓ２９：ＮＯ）には、現在選択されている機能項目「ＭＩＲＲＯＲ」の機能をオフし、文書データの左右を反転しない状態にする機能オフ処理（Ｓ３１）が行われる。そして、機能オフであると判断された場合（Ｓ２９：ＹＥＳ）には、機能項目「ＭＩＲＲＯＲ」の機能をオンに変更し、文書データの左右反転を有効にする機能オン処理（Ｓ３２）が行われる。
【００９２】
Ｓ２８において、設定項目のない単独機能ではないと判断された場合（Ｓ２８：ＮＯ）には、Ｓ３０で階層移行処理が行われる。ここで、階層移行処理とは、現在選択されている機能項目を確定し、確定した機能項目に従属している設定項目の選択処理に移行すると共に、液晶ディスプレイ６の表示を、機能項目表示から、設定項目表示に変更する処理のことである。具体例としては、機能項目「ＦＯＮＴ」から、機能項目「ＦＯＮＴ」に従属している設定項目「ＨＥＬＳＩＮＫＩ」、「ＯＫＬＡＨＯＭＡ」を選択可能にし、液晶ディスプレイ６に表示するのである。階層移行処理（Ｓ３０）終了後、Ｓ３３に移行する。
【００９３】
Ｓ３３では、項目選択処理が行われる。項目選択処理とは、機能項目に従属している設定項目の選択、確定を行う処理である。この項目選択処理については、後に図１６を参照しつつ、詳細に説明するので、ここでの説明は省略する。項目選択処理（Ｓ３３）終了後、機能選択処理を終了し、テープ印字装置１の基本制御フローチャートに戻る。
【００９４】
次に、機能選択処理フローチャート中に記載されている機能削除処理について、図１１を参照しつつ、詳細に説明する。図１１は、機能削除処理に関するフローチャートである。
機能選択処理において、機能削除キー３３（文字キー「Ｄ」）が押下されると、機能削除処理が行われる。先ず、Ｓ３４において、現在の機能設定状態をＲＡＭ４５に一時的に保存する。現在の機能設定状態をＲＡＭ４５に一時的に保存した後、Ｓ３５に移行する。
【００９５】
Ｓ３５においては、キー入力がされたか否かについての判断がなされる。テープ印字装置１に配設されているキーボード２０の各種キーの何れかが押下され、キー入力がされた場合（Ｓ３５：ＹＥＳ）には、Ｓ３６へと移行し、キー入力がされない場合（Ｓ３５：ＮＯ）には、再度Ｓ３５に戻り、キー入力がなされるまで待機する。
【００９６】
Ｓ３６においては、Ｓ３５で入力されたキーがカーソルキー１７であるか否かについての判断がなされる。カーソルキー１７が入力された場合（Ｓ３６：ＹＥＳ）、つまり、項目の選択方法として、カーソルによる選択が選ばれた場合には、Ｓ３７に移行する。カーソルキー１７が入力されない場合（Ｓ３６：ＮＯ）には、Ｓ３８に移行する。
【００９７】
Ｓ３７では、Ｓ３６で入力されたカーソルキー１７が、右方向であるか、左方向であるかに応じて、液晶ディスプレイ６の表示態様を変化させる表示変更処理が行われる。具体的には、ファンクションキーを押下した状態の「ＦＯＮＴ」の表示より右方向に入力するごとに、「ＳＩＺＥ」、「ＳＴＹＬＥ」、「ＵＮＤＬ／ＦＲＭ」、「ＭＩＲＲＯＲ」、「ＦＯＮＴ」と表示態様を変更する。また、左方向に入力した場合には、右方向入力時とは逆に、「ＭＩＲＲＯＲ」、「ＵＮＤＬ／ＦＲＭ」・・・「ＦＯＮＴ」、「ＭＩＲＲＯＲ」と表示態様が変化する。表示変更処理（Ｓ３７）終了後、Ｓ３５に戻る。
【００９８】
Ｓ３８においては、Ｓ３５で入力されたキーがファンクションキー１５であるか否かについての判断がなされる。ファンクションキー１５が入力された場合（Ｓ３８：ＹＥＳ）には、Ｓ３９に移行する。ファンクションキー１５が入力されていない場合（Ｓ３８：ＮＯ）には、Ｓ４０に移行する。
【００９９】
Ｓ３９では、Ｓ３８におけるファンクションキー１５の押下の判断に伴い、現在選択されている機能項目を選択不可とすることを確定し、液晶ディスプレイ６に表示される機能項目の態様を変化させる。本実施形態では、選択不可とした機能項目は、非表示とし、カーソルキー１７等により機能項目を選択する際には、選択不可である機能項目をスキップし、次の機能項目を表示する。機能項目の削除確定処理（Ｓ３９）終了後、Ｓ３５に戻る。
【０１００】
Ｓ４０では、Ｓ３５において入力されたキーが機能一括復帰キーであるか否かについての判断が行われる。本実施形態における機能一括復帰キーは、スペースキー１２とする。入力されたキーが、機能一括復帰キー（スペースキー１２）である場合（Ｓ４０：ＹＥＳ）には、Ｓ４１へ移行する。また、機能一括復帰キー（スペースキー１２）が入力されなかった場合（Ｓ４０：ＮＯ）には、Ｓ４２に移行する。
【０１０１】
Ｓ４１では、機能一括復帰キー（スペースキー１２）の押下に伴い機能一括復帰処理が行われる。機能一括復帰処理は、現在、選択不可とされている機能項目を全て復活させる処理である。すなわち、ＲＡＭ４５に格納されているショートカットテーブル５０の全ての機能項目の選択を有効とする処理である。これにより、誤って機能項目を選択不可としてしまった場合に対処することができる。更に、ユーザが通常使用しないものとして選択不可としていた機能項目が必要となった場合にも、再度、選択不可としていた機能項目が選択可能となる。機能一括復帰処理（Ｓ４１）終了後、Ｓ３５に戻る。
【０１０２】
Ｓ４２においては、入力されたキーが、キャンセルキーであるか否かについて判断される。本実施形態におけるキャンセルキーは、バックスペースキー１３である。入力されたキーが、キャンセルキー（バックスペースキー１３）である場合（Ｓ４２：ＹＥＳ）には、Ｓ４３に移行する。入力されたキーが、キャンセルキー（バックスペースキー１３）ではない場合（Ｓ４２：ＮＯ）には、Ｓ４４に移行する。
【０１０３】
Ｓ４３では、キャンセルキーの押下に基いて、Ｓ３４において、ＲＡＭ４５に一時的に保存した機能設定状態を読み出し、Ｓ３４時点の機能設定状態に戻す処理が行われる。Ｓ３４時点での機能設定状態に戻す処理（Ｓ４３）終了後、テープ印字装置１の基本制御フローチャート（図８）に戻る。
【０１０４】
Ｓ４２において、キャンセルキーが入力されなかった場合（Ｓ４２：ＮＯ）には、Ｓ４４において、エンターキー１９が入力されたか否かについての判断がなされる。エンターキー１９が入力された場合（Ｓ４４：ＹＥＳ）には、Ｓ４５に移行する。エンターキー１９が入力されていない場合（Ｓ４４：ＮＯ）には、Ｓ３５に戻る。
Ｓ４４にて、エンターキー１９が入力された場合（Ｓ４４：ＹＥＳ）には、Ｓ４５において、エンターキー１９が、一定時間（約２秒）押下されたか否かについての判断がなされる。エンターキー１９が一定時間押下された場合（Ｓ４５：ＹＥＳ）には、Ｓ４６へと移行する。エンターキー１９が一定時間押下されていない場合（Ｓ４５：ＮＯ）には、Ｓ４７へ移行する。
【０１０５】
エンターキー１９が一定時間（約２秒）押下された場合（Ｓ４５：ＹＥＳ）には、Ｓ４６において、機能選択削除処理が行われる。機能選択削除処理では、Ｓ３９において機能項目の選択不可が確定した機能項目について、機能項目を選択不可な状態にする処理である。具体的には、Ｓ３９において、機能項目の選択不可が確定されているかを判断し、選択不可が確定している機能項目を選択不可に、ショートカットテーブル５０を更新する処理が行われる。機能選択削除処理（Ｓ４６）終了後、テープ印字装置１の基本制御フローチャートに戻る。
また、設定項目についても同様に、Ｓ４６において、選択不可と確定された設定項目を実際に選択不可とし、ショートカットテーブル５０を更新する処理が行われる。
【０１０６】
Ｓ４７においては、階層移行処理が行われる。階層移行処理は、処理対象を機能項目から、機能項目に従属している設定項目に変更すると共に、液晶ディスプレイ６の表示を機能項目表示から選択項目表示に変更する処理である。機能削除処理においても、機能選択処理と同様に、現在選択している機能項目から、その機能項目に従属している設定項目を選択可能な状態にする処理を行っている。設定項目を選択可能にした後、Ｓ４８に移行し、項目削除処理が行われる。項目削除処理（Ｓ４８）終了後には、Ｓ３５に戻る。
【０１０７】
ここで、項目削除処理について、図１２を参照しつつ、詳細に説明する。図１２は、項目削除処理のフローチャートである。
項目削除処理では、先ず、Ｓ４９にて、キー入力が行われたか否かについての判断が行われる。キー入力が行われた場合（Ｓ４９：ＹＥＳ）には、Ｓ５０に移行する。キー入力が行われていない場合（Ｓ４９：ＮＯ）には、キー入力がされるまで、処理を待機する。
【０１０８】
Ｓ５０においては、Ｓ４９で入力されたキーがカーソルキー１７であるか否かについての判断がなされる。カーソルキー１７が入力された場合（Ｓ５０：ＹＥＳ）には、Ｓ５１に移行する。カーソルキー１７が入力されない場合（Ｓ５０：ＮＯ）には、Ｓ５２に移行する。
【０１０９】
Ｓ５１では、Ｓ５０で入力されたカーソルキー１７が、右方向入力であるか、左方向入力であるかに応じて、液晶ディスプレイ６の表示態様を、カーソルキー１７の右方向に入力するごとに、「設定項目名」を変化させる表示変更処理が行われる。具体的には、機能項目「ＳＩＺＥ」の選択状態において、右方向に入力するごとに、「ＡＵＴＯ」、「ＳＩＺＥ１」、「ＳＩＺＥ２」、「ＳＩＺＥ３」・・・と表示態様を変更する。また、カーソルキー１７を左方向に入力した場合には、右方向入力時とは逆に、「ＳＩＺＥ５」、「ＳＩＺＥ４」・・・「ＳＩＺＥ１」、「ＡＵＴＯ」、「ＳＩＺＥ５」と表示態様が変化する。表示変更処理（Ｓ５１）終了後、Ｓ４９に戻る。
【０１１０】
Ｓ５２においては、ファンクションキー１５が押下されたか否かについての判断がなされる。ファンクションキー１５が押下された場合（Ｓ５２：ＹＥＳ）には、Ｓ５３に移行する。ファンクションキー１５が押下されなかった場合（Ｓ５２：ＮＯ）には、Ｓ５４に移行する。
Ｓ５２でファンクションキー１５が押下された場合（Ｓ５２：ＹＥＳ）には、Ｓ５３で、項目削除確定処理が行われる。現在、液晶ディスプレイ６に表示されている設定項目を選択不可にする事を確定する処理がなされる。ここでは、現在表示されている設定項目を選択不可とすることを確定するのみである。カーソルキー１７の操作により、設定項目を選択する際に、選択不可な設定項目の表示をスキップし、次の設定項目を表示するように設定する処理を行う。項目削除確定処理（Ｓ５３）終了後、Ｓ４９に戻る。
【０１１１】
Ｓ５４では、設定項目一括復帰キーが押下されたか否かについて判断がなされる。設定項目一括復帰キーの押下により、現在選択不可となっている設定項目を設定可能に変更するか否かについての判断がなされる。本実施形態において、設定項目一括復帰キーは、機能一括復帰キーと同様に、スペースキー１２である。設定項目一括復帰キーが押下された場合（Ｓ５４：ＹＥＳ）には、Ｓ５５に移行し、設定項目一括復帰キーが押下されなかった場合（Ｓ５４：ＮＯ）には、Ｓ５６に移行する。
【０１１２】
Ｓ５５では、設定項目一括復帰キーの押下に伴い設定項目一括復帰処理が行われる。設定項目一括復帰処理は、前述のように選択不可とされている設定項目を全て選択可能に変更する処理である。すなわち、ＲＡＭ４５に格納されているショートカットテーブル５０の全ての設定項目の選択を有効とする処理である。
これにより、誤って設定項目を選択不可としてしまった場合に対処することができる。更に、ユーザが通常使用しないものとして選択不可していた設定項目が必要となった場合にも、再度、選択不可とされていた設定項目を使用することが可能となる。機能一括復帰処理（Ｓ５５）終了後、Ｓ４９に戻る。
【０１１３】
Ｓ５６では、キャンセルキー（バックスペースキー１３）が入力されたか否かについての判断がなされる。ユーザの行った現在の項目削除に関する操作状態を破棄するか否かについて判断する。キャンセルキーが入力された場合（Ｓ５６：ＹＥＳ）には、キャンセルキー入力前までに行った操作を破棄し（Ｓ５７）、項目削除処理を終了する。キャンセルキーが入力されなかった場合（Ｓ５６：ＮＯ）には、Ｓ５８に移行する。
【０１１４】
Ｓ５８では、エンターキー１９が押下されたか否かについての判断がなされる。エンターキー１９が押下された場合（Ｓ５８：ＹＥＳ）には、Ｓ５９に移行し、エンターキー１９が押下されなかった場合（Ｓ５８：ＮＯ）には、Ｓ４９に戻る。
Ｓ５９においては、エンターキー１９が一定時間（約２秒）押下されたか否かについての判断がなされる。エンターキー１９が一定時間押下された場合（Ｓ５９：ＹＥＳ）には、項目削除処理を終了し、機能削除処理に戻る。エンターキー１９が一定時間押下されなかった場合（Ｓ５９：ＮＯ）には、Ｓ４９に戻る。
【０１１５】
次に、Ｓ１９におけるカスタム処理について、図１３を参照して、詳細に説明する。図１３は、カスタム処理のフローチャートである。
カスタム処理では、先ず、キー入力がされたか否かについての判断がなされる（Ｓ６０）。キーボード２０に配設された何れかのキーが入力された場合（Ｓ６０：ＹＥＳ）には、Ｓ６１に移行する。何れのキーも入力されなかった場合（Ｓ６０：ＮＯ）には、キー入力されるまで、カスタム処理を待機する。
【０１１６】
Ｓ６１においては、入力されたキーがカーソルキー１７であるか否かについての判断がなされる。ここでのカーソルキー１７の入力により、ショートカットパターンの選択を行うか否かについての判断がなされる。カーソルキー１７が入力された場合（Ｓ６１：ＹＥＳ）には、Ｓ６２に移行する。カーソルキー１７が入力されない場合（Ｓ６１：ＮＯ）には、Ｓ６３に移行する。
【０１１７】
Ｓ６２においては、カスタム処理における表示変更処理が行われる。Ｓ６１にて判断されたカーソルキー１７の入力に基いて、液晶ディスプレイ６の表示を変更する処理が行われる。カーソルキー１７が右方向に入力された場合には、ショートカットパターンを示す項目「ＣＵＳＴＯＭ１」、「ＣＵＳＴＯＭ２」、・・・を昇順に表示変更し、カーソルキー１７が左方向に入力された場合には、ショートカットパターン項目を降順に表示変更する。表示変更処理（Ｓ６２）終了後、Ｓ６０に戻る。
【０１１８】
Ｓ６３においては、エンターキー１９が入力されたか否かについての判断がなされる。つまり、現在液晶ディスプレイ６に表示されているショートカットパターン項目を選択するか否かの判断がなされている。エンターキー１９が入力された場合（Ｓ６３：ＹＥＳ）には、Ｓ６４へ移行し、カスタム変更処理を行う。エンターキー１９が入力されなかった場合（Ｓ６３：ＮＯ）には、Ｓ６５に移行する。
【０１１９】
Ｓ６４において行われるカスタム変更処理については、後に図１４、図１５を参照しながら、詳細に説明する。よって、ここでのカスタム変更処理についての説明は省略する。カスタム変更処理（Ｓ６４）終了後、カスタム処理を終了する。
【０１２０】
Ｓ６５においては、キャンセルキーが入力されたか否かについての判断がなされる。本実施形態におけるキャンセルキーは、バックスペースキー１３である。キャンセルキーが、入力された場合（Ｓ６５：ＹＥＳ）には、カスタム処理を終了する。キャンセルキーが入力されなかった場合（Ｓ６５：ＮＯ）には、Ｓ６０に戻る。
【０１２１】
ここで、Ｓ６４において実行されるカスタム変更処理について、図１４、図１５を参照しながら、詳細に説明する。図１４は、カスタム変更処理のフローチャートの前半部分である。図１５は、カスタム変更処理のフローチャートの後半部分である。
カスタム変更処理では、先ず、Ｓ６６において、キーボード２０の何れかのキーが入力されたか否かについての判断がなされる。キー入力がされた場合（Ｓ６６：ＹＥＳ）には、Ｓ６７に移行する。キー入力がされなかった場合（Ｓ６６：ＮＯ）には、何れかのキーが入力されるまで、カスタム変更処理を待機する。
【０１２２】
Ｓ６７では、カーソルキー１７が操作されたか否かについての判断がなされる。カーソルキー１７が操作された場合（Ｓ６７：ＹＥＳ）には、Ｓ６８に移行する。カーソルキー１７が操作されなかった場合（Ｓ６７：ＮＯ）には、Ｓ６９へと移行する。
【０１２３】
Ｓ６８において行われる表示変更処理は、カーソルキー１７の入力に基いて、液晶ディスプレイ６の表示態様を変更する処理である。具体的には、カーソルキー１７の右方向の入力ごとに、ショートカットパターン名「ＣＵＳＴＯＭ１」、「ＣＵＳＴＯＭ２」、「ＣＵＳＴＯＭ３」が順に表示される。左方向が入力された場合には、「ＣＵＳＴＯＭ３」・・・「ＣＵＳＴＯＭ１」のように、降順で表示される。このように、表示変更処理（Ｓ６８）終了後。Ｓ６６に戻る。
【０１２４】
Ｓ６９においては、エンターキー１９が入力されたか否かについての判断がなされる。即ち、現在液晶ディスプレイ６に表示されているショートカットパターン名を選択決定するか否かについての判断がなされる。エンターキー１９が入力された場合（Ｓ６９：ＹＥＳ）には、Ｓ７１に移行する。エンターキー１９が入力されなかった場合（Ｓ６９：ＮＯ）には、Ｓ７０に移行する。
【０１２５】
Ｓ７０では、キャンセルキー（バックスペースキー１３）が入力されたか否かについての判断がなされる。ユーザの行った操作状態を破棄するか否かについて判断する。キャンセルキーが入力された場合（Ｓ７０：ＹＥＳ）には、キャンセルキー入力前までに行った操作を破棄し、カスタム変更処理を終了する。キャンセルキーが入力されなかった場合（Ｓ７０：ＮＯ）には、Ｓ６６に戻る。
【０１２６】
ここで、Ｓ６９において、エンターキー１９が入力された場合（Ｓ６９：ＹＥＳ）に移行するＳ７１以後の処理について、図１５を参照しつつ、詳細に説明する。
Ｓ６９において、エンターキー１９が入力された状態とは、カスタム処理で複数のショートカットパターンの内、１つのショートカットパターン（例えば「ＣＵＳＴＯＭ１」）が選択された状態である。
【０１２７】
Ｓ７１では、ある任意のショートカットパターンが選択された状態において、キーボード２０に配設された各種キーの何れかが入力されたか否かについての判断がなされる。何れかのキーが入力された場合（Ｓ７１：ＹＥＳ）には、Ｓ７２に移行する。何れのキーも入力されなかった場合（Ｓ７１：ＮＯ）には、キー入力がなされるまで、処理を待機する。
【０１２８】
Ｓ７２においては、カーソルキー１７が入力されたか否かについての判断がなされる。カーソルキー１７が入力された場合（Ｓ７２：ＹＥＳ）には、Ｓ７３に移行し、表示変更処理が行われる。カーソルキー１７が入力されなかった場合（Ｓ７２：ＮＯ）には、Ｓ７４へと移行する。
【０１２９】
ここで、Ｓ７３において行われる表示変更処理について、再び、図７を参照しつつ説明する。図７は、ショートカットパターンを選択している状態での操作説明図である。図７(ａ)は、ショートカットパターンの初期設定状態を示す。図７（ｂ）は、ユーザの操作により、ショートカットパターンの変更を行い、初期設定に上書きした状態を示している。また、図７(ｃ)は、図７(ｂ)より、更にショートカットパターンの変更を行い、上書きをしていない状態である。
ショートカットパターンを選択している状態で、カーソルキー１７を入力すると、選択しているショートカットパターンについてどのような処理を行うのかを示す選択肢が表示される。「ＳＴＯＲＥ」は、図７（ａ）の状態から、ユーザの操作により図７(ｂ)の状態に操作前のショートカットパターンに変更を上書き保存することである。そして、「ＲＥＳＴＯＲＥ」は、図７（ｃ）から図７（ｂ）のように、ユーザの操作による変更を破棄し、直前の「ＳＴＯＲＥ」の状態に戻すことである。「ＤＥＬＥＴＥ」は、ショートカットパターンを図７(ｂ)、図７(ｃ)の状態から図７(ａ)の初期状態に戻す処理である。
カーソルキー１７の入力により、「ＳＴＯＲＥ」、「ＲＥＳＴＯＲＥ」、「ＤＥＬＥＴＥ」が昇順（降順）に表示される。表示変更処理（Ｓ７３）終了後、Ｓ７１に戻る。
【０１３０】
Ｓ７２において、カーソルキー１７が操作されなかった場合（Ｓ７２：ＮＯ）には、Ｓ７４において、エンターキー１９が入力されたか否かについての判断がなされる。ここで、エンターキー１９が入力されることにより、液晶ディスプレイ６に表示されているカスタム設定項目の選択を確定する。エンターキー１９が入力された場合（Ｓ７４：ＹＥＳ）には、Ｓ７６に移行する。エンターキー１９が入力されなかった場合（Ｓ７４：ＮＯ）には、Ｓ７５に移行する。
【０１３１】
Ｓ７５では、キャンセルキー（バックスペースキー１３）が入力されたか否かについての判断がなされる。キャンセルキーが入力された場合（Ｓ７５：ＹＥＳ）には、カスタム変更処理を終了する。キャンセルキーが入力されなかった場合（Ｓ７５：ＮＯ）には、Ｓ７１に戻る。
【０１３２】
Ｓ７６においては、Ｓ７４で確定したカスタム設定項目が、保存項目、即ち「ＳＴＯＲＥ」であるか否かについての判断が行われる。保存項目を選択した場合（Ｓ７６：ＹＥＳ）には、ユーザの操作によって変更されたショートカットテーブル５０をＲＡＭ４５に保存し（Ｓ７７）、カスタム変更処理を終了する。保存項目が選択されなかった場合（Ｓ７６：ＮＯ）には、Ｓ７８に移行する。
【０１３３】
Ｓ７８では、Ｓ７４で確定したカスタム設定項目が、呼出項目、即ち「ＲＥＳＴＯＲＥ」であるか否かについての判断がなされる。呼出項目を選択した場合（Ｓ７８：ＹＥＳ）には、ユーザの操作によるショートカットテーブル５０の変更を破棄し、最新に保存されたショートカットテーブル５０をＲＡＭ４５より呼び出す（Ｓ７９）。ショートカットテーブル５０を、最新に保存された状態に戻した後、カスタム変更処理を終了する。呼出項目が選択されなかった場合（Ｓ７８：ＮＯ）には、Ｓ８０に移行する。
【０１３４】
Ｓ８０においては、Ｓ７４で確定したカスタム設定項目が、削除項目、即ち「ＤＥＬＥＴＥ」であるか否かについての判断がなされる。削除項目を選択した場合（Ｓ８０：ＹＥＳ）には、ユーザによりカスタマイズされた現在のショートカットテーブル５０を、初期状態に戻す（Ｓ８１）。ショートカットテーブル５０を初期状態に戻した後、カスタム変更処理を終了する。削除項目が選択されなかった場合（Ｓ８０：ＮＯ）も、カスタム変更処理を終了する。
【０１３５】
次に、機能選択処理における項目選択処理（Ｓ３３）について、図１６を参照しつつ、詳細に説明する。図１６は、項目選択処理のフローチャートである。
ある機能項目が選択された状態において、機能項目に設定項目が従属している場合（Ｓ２８：ＹＥＳ）には、Ｓ３０にて階層移行処理が行われ、Ｓ３３の項目選択処理が行われる。項目選択処理は、選択された機能項目に従属する設定項目を選択する処理である。
【０１３６】
項目選択処理においては、先ず、Ｓ８２で、設定項目が単一であるか否かについての判断がなされる。設定項目が単一である場合（Ｓ８２：ＹＥＳ）には、Ｓ８３に移行する。設定項目が単一でない場合（Ｓ８２：ＮＯ）には、Ｓ８７に移行する。ここで、設定項目が単一の場合とは、ユーザの操作により、複数の設定項目から、任意の１つを残してその他の設定項目を選択不可状態にした場合である。例えば、機能項目「ＵＮＤＬ／ＦＲＭ」において、設定項目「ＵＮＤＬ」のみを残し、その他の「ＯＦＦ」、「ＲＯＵＮＤ」、「ＢＡＮＮＥＲ」、「ＷＯＯＤＥＮ」、「ＶＩＮＥ」を選択不可にした場合である。
【０１３７】
Ｓ８３では、設定項目がオフであるか否かについての判断がなされる。設定項目がオフである場合（Ｓ８３：ＹＥＳ）には、Ｓ８４に移行する。設定項目がオフである場合、設定項目の内容は、印字結果に反映されない。は設定項目がオフではない場合（Ｓ８３：ＮＯ）には、Ｓ８５に移行する。
【０１３８】
Ｓ８４においては、「設定項目がオフである」と判断された（Ｓ８３：ＹＥＳ）設定項目をオンにする設定オン処理が行われる。機能項目「ＵＮＤＬ／ＦＲＭ」において、設定項目「ＵＮＤＬ」のみを残し、その他の「ＯＦＦ」、「ＲＯＵＮＤ」、「ＢＡＮＮＥＲ」、「ＷＯＯＤＥＮ」、「ＶＩＮＥ」を選択不可にした例で説明すると、Ｓ８４では、設定項目「ＵＮＤＬ」がオフ状態から、文書下方に傍線を引くオン状態に切り換えられるのである。設定項目をオンに変更した後、Ｓ８６に移行する。
【０１３９】
Ｓ８５では、「設定項目がオフではない」と判断された（Ｓ８３：ＮＯ）設定項目をオフにする設定オフ処理が行われる。前述した例で説明すると、Ｓ８５にて、設定項目「ＵＮＤＬ」は、オン状態から、文書の周囲に何等の修飾もなされないオフ状態に切り換えられるのである。設定項目をオフにした後、項目選択処理を終了する。
【０１４０】
Ｓ８６においては、項目確定処理が行われる。項目確定処理は、現在、液晶ディスプレイ６に表示されている設定項目を確定、実行する処理である。更に、確定された設定項目の内容を、印刷データ及び、液晶ディスプレイ６の表示態様に反映させる。前述してきた設定項目「ＵＮＤＬ」の例ならば、液晶ディスプレイ６の表示されている文書に下線が追加されると共に、プリントバッファ５２に展開されている文書データにも、下線を追加する処理が行われている。項目確定処理（Ｓ８６）終了後、項目選択処理を終了する。
【０１４１】
Ｓ８２において、設定項目が単一ではないと判断された場合（Ｓ８２：ＮＯ）に、Ｓ８７で、キー入力がなされたか否かについての判断がなされる。操作部に配設されているキーの内、何れかのキーが入力された場合（Ｓ８７：ＹＥＳ）には、Ｓ８８へと移行する。何れのキーも入力されなかった場合（Ｓ８７：ＮＯ）には、キー入力がなされるまで、処理を待機する。
【０１４２】
Ｓ８８では、カーソルキー１７が入力されたか否かについての判断がなされる。カーソルキー１７が入力された場合（Ｓ８８：ＹＥＳ）には、Ｓ８９に移行する。カーソルキー１７が入力されなかった場合（Ｓ８８：ＮＯ）には、Ｓ９０に移行する。
【０１４３】
Ｓ８９においては、カーソルキー１７の入力に基いて、表示変更処理が行われる。カーソルキー１７の右方向への入力に対応して、液晶ディスプレイ６に次の設定項目を表示し、左方向への入力に対しては、前の設定項目を表示する処理がなされる。例えば、液晶ディスプレイ６に機能項目「ＵＮＤＬ／ＦＲＭ」の設定項目「ＷＯＯＤＥＮ」が表示されている場合に、カーソルキー１７を右方向に入力したならば、設定項目「ＢＡＮＮＥＲ」が表示される。一方、左方向に入力した場合には、設定項目「ＶＩＮＥ」が表示される。表示変更処理（Ｓ８９）終了後、Ｓ８７に戻る。
【０１４４】
Ｓ９０では、機能削除キー３３（文字キー「Ｄ」）が入力されたか否かについての判断がなされる。現在、液晶ディスプレイ６に表示されている設定項目を選択不可にするか否かについての判断がなされる。機能削除キー３３が入力された場合（Ｓ９０：ＹＥＳ）には、Ｓ９１へ移行する。機能削除キー３３が入力されなかった場合（Ｓ９０：ＮＯ）には、Ｓ９２へと移行する。
【０１４５】
Ｓ９１では、機能削除キー３３の入力に基いて、機能削除処理が行われる。Ｓ９１における機能削除処理は、前述したＳ１７の機能削除処理（図１１参照）と同様の処理を行うものである。よって、既に、図１１を参照しつつ詳細に説明したので、ここでの説明は省略する。機能削除処理（Ｓ９１）終了後、項目選択処理を終了する。
【０１４６】
Ｓ９２においては、エンターキー１９が入力されたか否かについての判断がなされる。現在液晶ディスプレイ６に表示されている設定項目を実行するか否かについての判断がなされる。エンターキー１９が入力された場合（Ｓ９２：ＹＥＳ）には、Ｓ８４に移行し、項目確定処理がなされる。エンターキー１９が入力されなかった場合（Ｓ９２：ＮＯ）には、Ｓ９３に移行する。
【０１４７】
Ｓ９３では、キャンセルキー（バックスペースキー１３）が入力されたか否かについての判断がなされる。項目選択処理中に行われた操作を破棄するか否かの判断がなされる。キャンセルキーが入力された場合（Ｓ９３：ＹＥＳ）には、項目選択処理を終了する。キャンセルキーが入力されなかった場合（Ｓ９３：ＮＯ）には、Ｓ８７に戻る。
【０１４８】
以上にて説明したとおり本実施形態に係るテープ印字装置１では、ファンクションキー１５の押下により移行し、複数、任意の数字キーを押下することにより、押の機能項目と、機能項目に従属する複数の設定項目を選択可能な機能選択モードにおいて下した数字キー１１ａに関連付けられた機能項目を選択し、決定待機状態にすることができる。これにより、ユーザは、自身の選択した機能項目を確認することができる。
さらに、ユーザにより機能項目の選択が終了し、機能項目の決定待機状態において、現在決定待機状態にある機能項目とは別の機能項目に関連付けられている数字キー１１ａを押下することにより、決定待機状態にある機能項目を、現在選択されている機能項目から、別の機能項目に切り換えることができる。これにより、ユーザが操作を誤った場合においても、簡単な操作で選択を訂正することができる。
そして、決定待機状態にある機能項目に関連付けられている数字キー１１ａを再度押下することにより、決定待機状態にある機能項目を決定、実行することができる。この結果、ユーザは、自分の選択した機能項目を確認することができる。また、機能項目を決定待機状態にする際に用いた数字キー１１ａを再度押下することにより機能項目は実行されるので、ユーザは、直前に使用した数字キーを押下することという簡単な操作で、機能項目を実行することができる。
【０１４９】
また、機能選択モードにおいて、ユーザ任意の数字キー１１ａを一定時間押下し続ける事により、現在液晶ディスプレイ６に表示されている機能項目と、押下し続けている数字キー１１ａとを関連付けることができる。これにより、ユーザは自分の使用しやすい数字キー１１ａに、使用頻度の高い機能項目を関連付けることができ、機能項目選択時における操作を迅速且つ簡便に行うことができる。
そして、機能項目が数字キー１１ａに関連付けられているかを判断するので、液晶ディスプレイ６に表示されている機能項目が、押下されている数字キー１１ａと関連付けられていない場合には、数字キー１１ａを押下するだけで関連付けることができる。この場合、一定の時間押下し続けなくともよいので、より簡単に機能項目と数字キー１１ａの関連付けを行うことができる。
【０１５０】
更に、本実施例におけるテープ印字装置１は、常用しない機能項目を選択不可とすることができる。常用しない機能項目を選択不可とすることにより、選択不可である機能項目は液晶ディスプレイ６に表示されないので、カーソルキー１７、エンターキー１９を使用して機能項目の選択を行う際にも、キー操作数が少なくなり、ユーザは、所望の機能項目を少ない操作で、迅速に選択することができる。
また、選択不可とした機能項目を、選択可能に変更することができるので、常用しないものとして、選択不可としていた機能項目が必要になった場合にも、その機能項目を使用することができる。また、ユーザが間違って選択不可とした場合にも、その誤りを訂正することができる。
【０１５１】
そして、本実施例に係るテープ印字装置１においては、機能項目と数字キー１１ａの関連付けのパターンであるショートカットパターンを複数保存することができ、その複数のショートカットパターンを選択的に使用することができる。これにより、ユーザは、テープ印字装置１により印字されたテープの使用用途や、テープ印字装置１を共有する場合における各ユーザの操作の癖に対応して、ショートカットパターンを設定することができる。
また、ショートカットパターンを容易に変更することができるので、ユーザ自身で、最適なショートカットパターンを設定することができ、ユーザにとって、もっとも快適なショートカットパターンで機能項目を選択することが可能となる。
【０１５２】
尚、本発明は前記実施形態に限定されるものではなく、本発明の要旨を逸脱しない範囲内で種々の改良、変形が可能であることは勿論である。
例えば、本実施形態においては、機能選択モードにおいて、数字キー１１ａを押下することにより、機能選択のショートカットを実現しているが、数字キーのみではなく、英字キーなどのその他のキーとも、機能項目を関連付けられるようにしてもよい。この結果、更に、機能項目のショートカット選択設定を多岐にわたって設定することができる。
また、本実施例においては、機能項目のみが、ショートカット選択における数字キー１１ａと関連付けられるとしているが、ショートカットテーブル５０を変更し、機能項目以外に、設定項目と関連付けられるようにしてもよい。これにより、ユーザ所望の書式等の変更を、少ない操作で迅速に行うことが可能となる。
【０１５３】
本実施形態において、機能項目の選択不可を確定した場合には、液晶ディスプレイ６における機能項目の表示を消去しているが、機能項目名に取消線を追加してもよい。これにより、ユーザは、現在、選択不可が確定している機能項目について、確認することが可能となる。
【０１５４】
そして、本実施形態においては、選択不能とされている機能項目を復帰させた場合には、機能項目のみが、設定項目を復帰させた場合には、設定項目のみが復帰するようにしているが、機能項目を復帰させた場合には、機能項目に従属する設定項目も復帰するようにしてもよい。これにより、機能項目の復帰と、設定項目の復帰を別々に行う必要がなくなり、機能項目等の復帰に関する操作が少なくなる。
【０１５５】
また、本実施形態において、カスタムキー３２、機能削除キー３３、機能一括復帰キー、及びキャンセルキーは、それぞれ、文字キー「Ｃ」、文字キー「Ｄ」、スペースキー１２、バックスペースキー１３を用いていたが、夫々のキーをキーボード２０上に形成してもよい。
【０１５６】
そして、本実施形態においては、機能項目「ＦＯＮＴ」、「ＳＩＺＥ」、「ＳＴＹＬＥ」、「ＵＮＤＬ／ＦＲＭ」、「ＭＩＲＲＯＲ」の５つの書式種類を設定可能な構成としたが、更に、書式種類を追加した構成としても良い。これにより、更に豊かな表現で表現された印刷物をユーザに提供することができる。
【図面の簡単な説明】
【０１５７】
【図１】本実施形態に係るテープ印字装置の外観斜視図である。
【図２】本実施形態に係るテープ印字装置の正面図である。
【図３】本実施形態に係るテープ印字装置の背面カバー、テープカセットを取り外した状態の説明図である。
【図４】本実施形態に係るテープ印字装置のブロック図である。
【図５】本実施形態に係るテープ印字装置の機能項目及び設定項目を示す説明図である。
【図６】本実施形態に係るテープ印字装置のショートカットパターン選択を示す説明図である。
【図７】本実施形態に係るショートカットパターンに実施可能な項目に関する説明図である。
【図８】テープ印字装置の基本制御プログラムのフローチャートである。
【図９】テープ印字装置の機能選択処理プログラムのフローチャート（１）である。
【図１０】テープ印字装置の機能選択処理プログラムのフローチャート（２）である。
【図１１】テープ印字装置の機能削除処理プログラムのフローチャートである。
【図１２】テープ印字装置の項目削除処理プログラムのフローチャートである。
【図１３】テープ印字装置のカスタム処理プログラムのフローチャートである。
【図１４】テープ印字装置のカスタム変更処理プログラムのフローチャート（１）である。
【図１５】テープ印字装置のカスタム変更処理プログラムのフローチャート（２）である。
【図１６】テープ印字装置の項目選択処理プログラムのフローチャートである。
【符号の説明】
【０１５８】
１                  テープ印字装置
６                  液晶ディスプレイ
１０                テープカセット
１１ａ              数字キー
１１ｂ              英字キー
１２                スペースキー
１３                バックスペースキー
１５                ファンクションキー
１７                カーソルキー
１９                エンターキー
２１                サーマルヘッド
２２                プラテンローラ
３２                カスタムキー
３３                機能削除キー
４０                ＲＯＭ
４２                ＣＰＵ
４３                ＣＧ−ＲＯＭ
４５                ＲＡＭ
４８                プログラムメモリ
５０                ショートカットテーブル
【図１】
2005212333.tif 000003
【図２】
2005212333.tif 000004
【図３】
2005212333.tif 000005
【図４】
2005212333.tif 000006
【図５】
2005212333.tif 000007
【図６】
2005212333.tif 000008
【図７】
2005212333.tif 000009
【図８】
2005212333.tif 000010
【図９】
2005212333.tif 000011
【図１０】
2005212333.tif 000012
【図１１】
2005212333.tif 000013
【図１２】
2005212333.tif 000014
【図１３】
2005212333.tif 000015
【図１４】
2005212333.tif 000016
【図１５】
2005212333.tif 000017
【図１６】
2005212333.tif 000018